(57)【要約】一対の側壁の各縁部（１６）の間に単一の開口（１８）を有する包囲体を含むロック式の袋（１０）が提供される。前記各縁部の相対する側に一対のプラスチックチャック部分（２０）が配置される。ロック式の袋（１０）の前記開口の一方の角部位置で、前記各縁部に摺動自在にチャック締め用クリップ（３４）が取り付けられる。チャック締め用クリップ（３４）は、ロック式の袋の前記開口（１８）に沿って摺動する。プラスチックチャック部分（２０）は開口（１８）を恒久的に閉鎖するために好適な手段を含む。一実施例ではチャック締め用クリップ（３４）はロック式の袋（１０）を恒久的に閉鎖した後、ロック式の袋（１０）から取り外し自在とされる。
2006520724.tif 000002
【特許請求の範囲】
【請求項１】
ロック式の袋であって、
ａ）単一組の壁の各縁部間に単一の開口が確定される包囲体を形成する複数の壁と、
ｂ）前記単一組の壁の各縁部に沿って各配置され、相互に入れ子することによって前記開口をチャック締めするためのプラスチックチャック半分体にして、開口を恒久的に閉鎖するための手段を有しているプラスチックチャック半分体と、
ｃ）前記単一組の壁の各縁部の、前記開口の角部位置に摺動自在に取り付けたチャック締め用クリップにして、前記各縁部に沿って摺動されると前記各縁部をスクイーズして各プラスチックチャック半分体を相互にチャック締めし、かくして前記開口を恒久的に閉鎖するためのクランプ面を有するチャック締め用クリップと、
を含むロック式の袋。
【請求項２】
チャック締め用クリップは単一組の壁の各縁部に沿って摺動して開口を恒久的に閉鎖した後、工具を用いずに前記単一組の壁の各縁部から取り外すことができる請求項１のロック式の袋。
【請求項３】
ロック式の袋であって、
ａ）単一組の壁の各縁部間に単一の開口が確定される包囲体を形成する複数の壁と、
ｂ）前記単一組の壁の各縁部に沿って各配置され、相互に入れ子することによって前記開口をチャック締めするためのプラスチックチャック半分体にして、開口を恒久的に閉鎖するための手段を有しているプラスチックチャック半分体と、
ｃ）前記単一組の壁の各縁部の、前記開口の角部位置に摺動自在に取り付けたチャック締め用クリップにして、前記各縁部に沿って摺動されると前記各縁部をスクイーズして各プラスチックチャック半分体を相互にチャック締めし、かくして前記開口を恒久的に閉鎖するためのクランプ面を有するチャック締め用クリップと、
を含み、前記開口を恒久的に閉鎖するための手段が接着材を含むロック式の袋。
【請求項４】
チャック締め用クリップは単一組の壁の各縁部に沿って摺動して開口を恒久的に閉鎖した後、工具を用いずに前記単一組の壁の各縁部から取り外すことができる請求項３のロック式の袋。
【請求項５】
ロック式の袋であって、
ａ）単一組の壁の各縁部間に単一の開口が確定される包囲体を形成する複数の壁と、
ｂ）前記単一組の壁の各縁部に沿って各配置され、相互に入れ子することによって前記開口をチャック締めするためのプラスチックチャック半分体にして、開口を恒久的に閉鎖するための手段を有しているプラスチックチャック半分体と、
ｃ）前記単一組の壁の各縁部の、前記開口の角部位置に摺動自在に取り付けたチャック締め用クリップにして、前記各縁部に沿って摺動されると前記各縁部をスクイーズして各プラスチックチャック半分体を相互にチャック締めし、かくして前記開口を恒久的に閉鎖するためのクランプ面を有するチャック締め用クリップと、
を含み、
プラスチックチャック半分体の一方が、プラスチックチャック半分体の他方の内部に配置した溝の内部にしっかりと且つ恒久的に保持されるような寸法形状とした舌部を含んでいるロック式の袋。
【請求項６】
チャック締め用クリップは単一組の壁の各縁部に沿って摺動して開口を恒久的に閉鎖した後、工具を用いずに前記単一組の壁の各縁部から取り外すことができる請求項５のロック式の袋。
【発明の詳細な説明】
【技術分野】
【０００１】
本発明は、一般にロック式の袋に関し、詳しくは、チャック付きのロック式の袋に関する。
【背景技術】
【０００２】
チャックを設けたロック式の袋（以下、チャック付き袋とも称する）は広汎な種々の用途、例えば、法医学的証拠や有害な医療廃棄物を恒久的に保管するための用途などにおいて一般的なものとなってきている。
この種の袋ではプラスチック製のチャックを有するものが最も一般的である。そうした袋は、必ずしもそうである必要はないが、代表的には全体がプラスチックで作製される。プラスチックチャック付きの袋の一例は米国特許第５，８５１，０７１号に記載される。
袋のチャックを開け閉めするようにしたチャッククリップを有するプラスチックチャック付きの再開閉自在の袋も、今日、同じく一般的なものである。
【０００３】
【特許文献１】米国特許第５，８５１，０７１号明細書
【発明の開示】
【発明が解決しようとする課題】
【０００４】
チャック部分をチャック締めするチャック締め用クリップを組み込んだ、プラスチックチャック付きのロック式の袋を提供することである。
【課題を解決するための手段】
【０００５】
本発明によれば、ロック式の袋であって、（ａ）一対の側壁縁部間に単一開口が確定された包囲体を形成する複数の壁と、（ｂ）前記開口位置で前記一対の側壁縁部の各々に沿って各配置されたプラスチックチャック半分体にして、相互に入れ子式に合致して前記開口をチャック締めすることができるようになっているプラスチックチャック半分体と、（ｃ）前記開口の一方の角部位置で前記一対の側壁の縁部に摺動自在に取り付けたチャック締め用クリップにして、前記一対の側壁の縁部に沿ってスライドされると該一対の側壁の縁部をスクイーズして各前記プラスチックチャック半分体を合着させて前記開口を恒久的に閉鎖するチャック締め用クリップと、を含むロック式の袋が提供される。
【発明を実施するための最良の形態】
【０００６】
以下に、本発明の幾つかの実施例が説明されるが、これらの実施例は限定的なものではない。
本発明は、プラスチックチャック部分１２を有するロック式の袋１０である。袋１０には複数の壁１４があり、その幾つかあるいは全てが可撓性材料、例えば、繊維プラスチックあるいは可撓性プラスチックから作製される。代表的な実施例では全ての壁１４が可撓性材料、例えば、低密度ポリエチレンあるいは直鎖状低密度ポリエチレンから作製される。壁１４の材料及び厚さは、袋１０の使用用途に依存して充分な強度が得られるように選択される。
【０００７】
壁１４は、その各縁部１６の位置で相互に接合して包囲体を形成する。壁１４が主に繊維材料製のものである場合、壁１４の各縁部１６を相互に縫い合わせて接合させることができる。壁１４がプラスチック製である場合は、その各縁部は、代表的には、斯界に既知の数多くのプラスチックヒートシールプロセスの１つを用いて接合される。
相対する一対の縁部１６は相互に接合されず、従って袋１０の内部へのアクセスが許容される単一の開口１８が形成される。各プラスチックチャック半分体２０は、この開口１８をチャック締めすることができるよう相互に入れ子するようになっている。“チャック締め”とは、２つのプラスチックチャック半分体２０がチャック様式下に入れ子することによって斯界でプラスチックチャックあるいはプラスチックジッパーとして理解される構成を成すことを意味する。
【０００８】
２つのプラスチックチャック半分体２０は、相互に入れ子した場合に開口１８をロックさせて恒久的に閉鎖するための手段２２を含んでいる。ここで開口１８を“恒久的に”閉鎖するとは、チャック締めにより閉鎖した開口１８を袋１０の壁１４を破るあるいは工具を使用することなく再開放させることが出来ないことを意味する。
前記手段２２は、２つのプラスチックチャック半分体２０の一方あるいは両方に沿って好適な接着材２４を配置することにより提供させることができる。
【０００９】
あるいは、手段２０は、２つのプラスチックチャック半分体２０それ自体の形態により提供させ得る。そうした形態は斯界に数多くのものが知られており、その一例が図４、６及び７に例示される。例示した構成においてそうであるように、手段２２は代表的には２つのプラスチックチャック半分体２０の一方に配置した舌部２６を含んでいる。舌部２６は、２つのプラスチックチャック半分体２０の他方に配置され、且つ、前記一方のプラスチック半分体に配置した合致用の溝２８の内部にしっかりと且つ恒久的に保持される寸法形状を有する。図４、６及び７に示されるように、そうした舌部及び溝を含む形態は、１つ以上の細長いロック用肩部３２を有する溝２８の内部にしっかりと且つ恒久的に保持される、１つ以上のバーブあるいは返し縁部３０により恒久的に構成され得る。
【００１０】
袋１０は、一対の側壁の各縁部１６の、開口１８の角部位置に摺動自在に取り付けたチャック締め用クリップ３４を更に含む。チャック締め用クリップ３４は、一対の側壁の各縁部１６をスクイーズして２つのプラスチックチャック半分体２０を相互に押し付けるようになっており、かくして、このチャック締め用クリップ３４を縁部１６に沿って摺動させると開口１８が恒久的に閉鎖される。図面に例示した実施例ではチャック締め用クリップ３４は上壁３８の外側縁部から垂下する対向する一対のクランプ面３６を含む。チャック締め用クリップ３４を一対の側壁の各縁部１６に沿ってスライドさせる際にこのチャック締め用クリップ３４を案内するためのガイドプロング４０を、チャック締め用クリップ３４内に設けることができる。ガイドプロング４０は、図示されるように上壁３８の中心位置から垂下される。チャック締め用クリップ３４は代表的には成形プラスチック材料から形成される。
【００１１】
従来のチャック締め用クリップとは異なり、本発明の袋１０のチャック締め用クリップ３４は、このチャック締め用クリップ３４を開口１８を閉じる場合と反対の方向に摺動させることにより袋１０を再開放させるための手段を何ら持たない構成のものとされる。
【００１２】
１実施例では、チャック締め用クリップ３４は、縁部１６を閉鎖するために使用した後、工具を用いずに縁部１６から容易に取り外すことができる。図示された実施例では、チャック締め用クリップ３４は縁部１６を閉鎖するために使用した後、縁部１６から単に滑らせることによ取り外される。別の実施例では、チャック締め用クリップ３４は工具を用いずに縁部１６から容易に破除することができるよう、切れ目付けなどの加工が施される。
以上、本発明を実施例を参照して説明したが、本発明の内で種々の変更をなし得ることを理解されたい。
【図面の簡単な説明】
【００１３】
【図１】非ロック状態での本発明のロック式の袋の斜視図である。
【図２】ロック状態での本発明のロック式の袋の斜視図である。
【図３】本発明で使用可能なチャック締め用クリップの斜視図である。
【図４】図２を線４−４に沿って切断した、プラスチックチャック部分の断面図である。
【図５】チャック締め用クリップが袋の開口の各側に作用して開口を恒久的に閉鎖する状況を示す平面図である。
【図６】図５を線６−６に沿って切断した断面図である。
【図７】図５を線７−７に沿って切断した断面図である。
【符号の説明】
【００１４】
１０  ロック式の袋
１２  プラスチックチャック部分
１４  壁
１６  縁部
１８  開口
２０  プラスチックチャック半分体
２６  舌部
２８  溝
３０  返し縁部
３２  ロック用肩部
３４  チャック締め用クリップ
３６  クランプ面
３８  上壁
【図１】
2006520724.tif 000003
【図２】
2006520724.tif 000004
【図３】
2006520724.tif 000005
【図４】
2006520724.tif 000006
【図５】
2006520724.tif 000007
【図６】
2006520724.tif 000008
【図７】
2006520724.tif 000009
【国際調査報告】
2006520724.tif 000010
2006520724.tif 000011